(57)【特許請求の範囲】
【請求項１】
MPEG-2 Systemsに準拠したデジタル放送によるデータ伝送を受信するためのデジタル放送受信機であって、
（１）地図にマッピングした各メッシュに対応する領域の領域番号と、この領域番号を含む広域の対象地域コード各領域を代表する位置情報とを対応させたテーブルをストアした第１ストア手段と、
（２）前記領域番号と、当該領域番号を含む広域の対象地域コードとを対応させたテーブルをストアした第２ストア手段と、
（３）前記領域番号と、この領域番号に関連付けられたデータ情報選択コードとを対応させたテーブルをストアした第３ストア手段と、
（４）受信位置の位置情報を取得する位置情報取得手段と、
（５）該位置情報取得手段により取得された位置情報を含む領域の領域番号を、前記第１ストアのテーブルを参照して決定する領域番号決定手段と、
（６）該領域番号決定手段により決定された領域番号に関係付けされている対象地域コードを、前記第２ストア手段のテーブルを参照して決定する対象地域コード決定手段と、
（７）前記領域番号決定手段により決定された領域番号に関係付けされているデータ情報選択コードを、前記第３ストア手段のテーブルを参照して決定するデータ情報選択コード決定手段と、
（８）前記デジタル放送受信機のデータパケット分離部からの前記データ放送を表すデータから、前記対象地域コード決定手段により決定された対象地域コードを表す対象地域記述子が記述されているデータコンテンツを取り出す第１取出手段と、
（９）該第１取出手段により取り出されたデータコンテンツをストアするデータコンテンツストア手段と、
（１０）該データコンテンツストア手段のデータコンテンツをデータ符号化方式に従い復号する復号手段と、
（１１）該復号手段により復号されたデータコンテンツから、前記データ情報選択コード決定手段により決定されたデータ情報選択コードを表す記述子が記述されているデータ情報を取り出す第２取出手段と、
（１２）前記データパケット分離部からのデジタル放送の映像および音声を表すデータを復号する手段と、
（１３）該第２取出手段により取出されたデータ情報と、復号された映像・音声とを合成し、最終的なデータサービスとして提示する提示手段と
を備えたことを特徴とするデジタル放送受信機。
【発明の詳細な説明】
【０００１】
【発明の属する技術分野】
本発明は、データ放送を受信するためのデジタル放送受信機に関する。
【０００２】
【従来の技術】
従来から、放送を利用したデータ放送サービスが知られており、送信点から発射された電波の到達する範囲内、すなわち、放送エリア内には、全ての対象に向けて情報が伝送されている。そして、受信側で、このような情報内に記述されている対象識別のための情報を利用することによって、特定対象向けの情報を選択的に利用できるようになっている。
【０００３】
仮に、特定対象を地域とすると、受信地点が変化しない受信形態の場合、選択情報となる地域情報を受信側で設定することにより、以後特定地域向け情報を自動的に受信可能である。
【０００４】
【発明が解決しようとする課題】
しかし、自動車や鉄道、あるいは歩行する受信者などように移動を伴う受信形態において、例えば、データ放送される情報から、現在位置する地点に関する情報のみを、選択的に受信しようとする場合、予め選択の基準となる位置情報を受信者が指定する必要があり、非常に煩わしかった。
【０００５】
また、データに含まれる地域指定方法そのものが変更された場合や、自治体区分が変更された場合、地域指定方法が変更された場合には、受信機を更新しなければならなかった。
【０００６】
本発明の目的は、上記のような問題点を解決し、特定対象者に予め関係付けをした情報を選択的に自動受信することができるデジタル放送受信機を提供することにある。
【０００７】
【課題を解決するための手段】
本発明は、このような目的を達成するために、請求項１に記載の発明は、（MPEG-2 Systemsに準拠した）デジタル放送によるデータ伝送を受信するためのデジタル放送受信機であって、（１）地図にマッピングした各メッシュに対応する領域の領域番号と、この領域番号を含む広域の対象地域コード各領域を代表する位置情報とを対応させたテーブルをストアした第１ストア手段と、（２）前記領域番号と、当該領域番号を含む広域の対象地域コードとを対応させたテーブルをストアした第２ストア手段と、（３）前記領域番号と、この領域番号に関連付けられたデータ情報選択コードとを対応させたテーブルをストアした第３ストア手段と、（４）受信位置の位置情報を取得する位置情報取得手段と、（５）該位置情報取得手段により取得された位置情報を含む領域の領域番号を、前記第１ストアのテーブルを参照して決定する領域番号決定手段と、（６）該領域番号決定手段により決定された領域番号に関係付けされている対象地域コードを、前記第２ストア手段のテーブルを参照して決定する対象地域コード決定手段と、（７）前記領域番号決定手段により決定された領域番号に関係付けされているデータ情報選択コードを、前記第３ストア手段のテーブルを参照して決定するデータ情報選択コード決定手段と、（８）前記デジタル放送受信機のデータパケット分離部からの前記データ放送を表すデータから、前記対象地域コード決定手段により決定された対象地域コードを表す対象地域記述子が記述されているデータコンテンツを取り出す第１取出手段と、（９）該第１取出手段により取り出されたデータコンテンツをストアするデータコンテンツストア手段と、（１０）該データコンテンツストア手段のデータコンテンツをデータ符号化方式に従い復号する復号手段と、（１１）該復号手段により復号されたデータコンテンツから、前記データ情報選択コード決定手段により決定されたデータ情報選択コードを表す記述子が記述されているデータ情報を取り出す第２取出手段と、（１２）前記データパケット分離部からのデジタル放送の映像および音声を表すデータを復号する手段と、（１３）該第２取出手段により取出されたデータ情報と、復号された映像・音声とを合成し、最終的なデータサービスとして提示する提示手段とを備えたことを特徴とするものである。
【００１０】
【発明の実施の形態】
以下、本発明の実施の形態を図面を参照して詳細に説明する。
【００１１】
＜第１の実施の形態＞
図１は本発明の第１の実施の形態を示す。これは、MPEG-2 Systemsに準拠したデジタル放送によるデータ伝送を受信するためのデジタル放送受信機の例である。しかし、本発明はこの例に限定されるものではなく、類似した他の放送システムでも同様に適用可能である。
【００１２】
ここで、伝送ストリームにおける地域の指定は、ARIB STD-B10に準拠した、PMT(Program Association Table)における対象地域記述子での都道府県コードを用いる方法で、データサービスにおけるデータ符号化方式で記述される地域指定を郵便番号で行うものとする。
【００１３】
図１を説明する。図１において、１は復調受信処理部であり、受信者による選局操作に従って、伝送路に応じた変調方式の放送電波を選局し受信するものである。２はデータパケット分離部であり、復調受信処理部１により受信された放送電波から、パケット識別子を利用して、映像・音声信号が含まれるパケット信号ｂと、データサービスを実現するパケット信号ｃと、位置補正データおよび位置情報差分データを含むパケット信号ｄとを分離するものである。
【００１４】
３は対象地域情報取得部であり、ＧＰＳ（global positioning system）１３により得られた緯度・経度から、受信点に予め関係付けをした領域番号を取得するとともに、当該領域番号に予め関係付けをした対象地域コードとしての都道府県コードと、当該領域番号に予め関係付けをしたデータ情報選択コードとしての郵便番号とを取得するものである。
【００１５】
４はデータ選択部であり、データパケット分離部２からのデータコンテンツを含むパケット信号ｃから、対象地域情報取得部３からの都道府県コードに関係するデータコンテンツのみを選択的にフィルタリングするものである。５はデータ蓄積制御部であり、データ選択部４によりフィルタリングされたデータコンテンツをメモリ６に一旦蓄積保存し、メモリ６から読み出すものである。８はデータ復号部であり、データ蓄積制御部６によりメモリ６から読み出されたデータコンテンツをデータ符号化方式に従い復号するものである。９はデータ選択部であり、データ復号部８により復号されたデータコンテンツから、対象地域情報取得部３からの郵便番号に関係付けしてあるデータ情報を選択するものである。
【００１６】
７は映像音声復号部であり、データパケット分離部２からの映像・音声信号が含まれるパケット信号ｂから映像・音声を復号するものである。
【００１７】
１０は合成提示部であり、映像音声復号部７により復号された映像・音声と、データ選択部９により選択されたデータ情報とを合成し、最終的なデータサービスとして提示するものである。
【００１８】
図２は図１の対象地域情報取得部３の構成を示す。図２において、１００はデータ分離部であり、データパケット分離部２からのパケット信号ｄから、位置情報補正データと変換テーブル差分データとを分離するものである。
【００１９】
１１４は外部記憶装置であり、都道府県単位の行政区域に対して緯線と経線にそれぞれ平行な２群の平行線のつくる矩形領域の領域番号と、各矩形領域の左上隅の緯度・経度とを対応させたテーブルと、領域番号と都道府県コードとを対応させたテーブルと、領域番号と郵便番号とを対応させたテーブルとを作成するためのデータがストアしてある。外部記憶装置１１４としては、ＣＤ−ＲＯＭ（compact disc ROM）、ＤＶＤ−ＲＯＭ（digital video disc ROM）、ハードディスク等の大容量のものが好ましい。１０３は変換テーブル生成部であり、記憶装置制御部１１３により外部記憶装置１１４から読み出されたデータに基づき、変換テーブル１０４，１０６，１１０をそれぞれ生成するものである。
【００２０】
変換テーブル１０４は、都道府県単位の行政区域に対して緯線と経線にそれぞれ平行な２群の平行線のつくる矩形領域の領域番号と、各矩形領域の左上隅の緯度・経度とを対応させたものである。その一例を表１に示す。
【００２１】
【表１】
0003946942.tif 000002
【００２２】
変換テーブル１０６は領域番号と都道府県コードとを対応させたものである。その一例を表２に示す。
【００２３】
【表２】
0003946942.tif 000003
【００２４】
変換テーブル１１０は領域番号と郵便番号とを対応させたものである。その一例を表３に示す。
【００２５】
【表３】
0003946942.tif 000004
【００２６】
また、変換テーブル生成部１０３は変換テーブル１０６，１１０のバージョンを管理し、変換テーブル１０６，１１０のバージョンが、データ分離部１００からの変換テーブル差分データのバージョン未満である場合は、この変換テーブル差分データに基づき、変換テーブル１０６，１１０をバージョンアップするものである。また、変換テーブル生成部１０３は、変換テーブル１０６，１１０に対するバージョンアップを、変換テーブル生成部１０３は記憶装置制御部１１３により外部記憶装置１１４から読み出されたデータに基づき行なうことができる。
【００２７】
１０２は受信位置補正部であり、ＧＰＳ１３からの緯度・経度の精度を向上させるため、データ分離部１００からの位置情報補正データに基づき補正するものである。位置補正データとしては、例えば、ＧＰＳによる位置情報を補正するためのディファレンシャルＧＰＳ情報などが利用可能である。
【００２８】
１０５は領域番号決定部であり、受信位置補正部１０２からの緯度・経度に予め関係付けされている領域番号を変換テーブル１０４（表１）を参照して求めるものである。１０７は都道府県コード決定部であり、領域番号決定部１０５からの領域番号に予め関係付けされている都道府県コードを、変換テーブル１０６（表２）を参照して求めるものである。１１７は郵便番号決定部であり、領域番号決定部１０５からの領域番号に予め関係付けされている郵便番号を、変換テーブル１１０（表３）を参照して求めるものである。１１６は変換部であり、郵便番号決定部１１７により決定された郵便番号のデータをデータ選択部９（図１）で認識可能なデータ（データコンテンツのデータ符号化が採用する位置情報符号化方式に基づくデータ）に変換するものである。
【００２９】
１０８は都道府県コード入力部であり、受信者が、例えば、位置情報が取得できなくなった場合等に、都道府県コードを入力するためのものである。１０９は選択部であり、受信者が都道府県コード入力部１０８を操作した場合は、都道府県コード入力部１０８からの都道府県コードを選択し、それ以外の場合は、都道府県コード決定部１０７からの都道府県コードを選択するものである。
【００３０】
１１１は受信履歴管理部であり、用いた都道府県コードの履歴をメモリ１１２に蓄積しておき、受信者が履歴から都道府県コードを選択して再入力できるようになっている。１１５は選択部であり、受信者が受信履歴管理部１１１により管理されている履歴から都道府県コードを選択して再入力した場合には、受信履歴管理部１１１からの都道府県コードを選択し、それ以外の場合は、選択部１０９からの都道府県コードを選択し、データ選択部４（図１）に供給するものである。
【００３１】
次に、対象地域情報取得部３の動作を説明する。データパケット分離部２（図１）からの、位置補正データおよび変換テーブル差分データを含むパケット信号ｄは、データ分離部１００により位置情報補正データと変換テーブル差分データとに分離される。
【００３２】
他方、ＧＰＳ１３（図１）から得られた緯度・経度は、データ分離部１００により分離された位置情報補正データに基づき、受信位置補正部１０２により補正される。そして、受信位置補正部１０２による補正により得られた受信点の緯度より高くしかも受信点の緯度に最も近い緯度と、受信位置補正部１０２による補正により得られた受信点の経度よりも本初子午線寄りの経度でしかも受信点の経度に最も近い経度を、変換テーブル１０４（表１）から検索し、得られた経度・緯度のペアに予め関係付けされている領域番号を求める。
【００３３】
例えば、受信点が図３に２０１で示す点である場合には、表１のテーブルから検索される緯度はＬＡi-1,j、経度はＬＯi,j-1であり（すなわち、図３に２０２で示す点の緯度・経度に相当する）、表１のテーブルから、この緯度・経度を領域の左上隅に有する領域の領域番号として、Ｍkが求められる。
【００３４】
ついで、得られた領域番号に予め関係付けされている都道府県コードが、都道府県コード決定部１０７により、変換テーブル１０６（表２）を参照して求められる。例えば、領域番号がＭkである場合には、都道府県番号コードとしてＰmが求められることになる。
【００３５】
他方、得られた領域番号に予め関係付けされている郵便番号が、郵便番号決定部１１７により、変換テーブル１１０（表３）を参照して求められる。例えば、領域番号がＭkである場合には、郵便番号としてＺnが求められる。
【００３６】
ここで、受信者により、都道府県コード入力部１０８も、受信履歴管理部１１１も操作されていない場合は、選択部１０９により都道府県コード決定部１０７からの都道府県コードが選択され、この選択された都道府県コードが選択部１１５により選択され、データ選択部４に供給される。他方、受信者により、都道府県コード入力部１０８が操作されて都道府県コードが入力された場合は、この入力された都道府県コードが選択部１０９により選択される。また、受信者により、受信履歴管理部１１１が操作されて履歴から都道府県コードが選択され再入力された場合は、この再入力された都道府県コードが選択部１１５により選択され、データ選択部４に供給される。
【００３７】
他方、領域番号決定部１０５により領域番号が決定されると、郵便番号決定部１１７により、この決定された領域番号に予め関係付けされている郵便番号が、変換テーブル１１０（表３）を参照して求められる。求められた郵便番号は、変換部１１６により、データ選択部９（図１）で認識可能なデータ（データコンテンツのデータ符号化が採用する位置情報符号化方式に基づくデータ）に変換され、データ選択部９に供給される。
【００３８】
次に、本デジタル放送受信機の動作を説明する。復調受信処理部１により受信された放送波は、データパケット分離部２により、パケット識別子を利用して、映像・音声信号が含まれるパケット信号ｂと、データサービスを実現するパケット信号ｃと、位置補正データおよび変換テーブル差分データを含むパケット信号ｄとに分離される。
【００３９】
他方、上述したようにして、当該受信点に予め関係付けされている都道府県コードと郵便番号とが対象地域情報取得部３により決定されると、データパケット分離部２からの、データサービスを実現するパケット信号ｃから、決定された都道府県コードに関係するデータがデータ選択部４により選択される。
【００４０】
そして、この選択されたデータはデータ蓄積制御部５によりメモリ６に一旦蓄積され、データ蓄積制御部５によりメモリ６から読み出されたデータはデータ復号部８により復号される。ついで、復号されたデータから、対象地域情報取得部３からの郵便番号に関係するデータがデータ選択部９により選択され、合成提示部１０に供給される。
【００４１】
他方、データパケット分離部２からの映像・音声信号が含まれるパケット信号ｂが映像音声復号部７により復号され、合成提示部１０に供給される。
【００４２】
合成提示部１０では、映像音声復号部７により復号された映像・音声と、データ選択部９により選択されたデータ情報とが合成され、最終的なデータサービスとして提示される。
【００４３】
したがって、当該受信点において、当該受信点に関連するローカルな交通情報、天気予報、ニュース等の番組を自動的に受信できることになる。そして、自動車や鉄道等の移動に伴い受信点が変更されたとしても、受信者は、その都度、位置情報を再指定することなく、受信できることになる。
【００４４】
また、自治体の統廃合に伴って自治体区分が変更された場合や、郵便番号が変更された場合にも、データ放送される変換テーブル差分データとしての変更区分データが本デジタル放送受信機により受信されると、変換テーブル１０６，１１０のバージョンを管理している変換テーブル生成部１０３は、変換テーブル１０６，１１０のバージョンが、データ分離部１００からの変換テーブル差分データのバージョン未満であると判定した場合に、この変換テーブル差分データに基づき、変換テーブル１０６，１１０をバージョンアップすることができる。また、変換テーブル生成部１０３は記憶装置制御部１１３により、変更区分データが予めストアされた外部記憶装置１１４から読み出された変更区分データに基づき、変換テーブル１０６，１１０をバージョンアップすることもできる。
【００４５】
本実施の形態では、位置情報を取得するものとしてＧＰＳの例を説明したが、このＧＰＳに代えて、ＰＨＳ（Personal Handy Phone）など通信サービスを利用した位置取得機能を用いて、同様の効果を奏することができる。
【００４６】
また、本実施の形態では、データサービスにおけるデータ符号化方式で記述される地域指定を郵便番号とし、変換テーブル１１０として、領域番号と郵便番号とを対応させたものを用いた例を説明したが、データサービスにおけるデータ符号化方式で記述される地域指定を年齢で行い、変換テーブル１１０に代えて、領域番号と年齢とを対応させた変換テーブルを用いることにより、受信者の年齢に関係付けられているジャンルの情報を受信することができるようになる。利用者の存在する地域を限定する特定対象としては、利用者の年齢の他に、性別、視力、聴力、関心事、興味、趣味、嗜好等が含まれる。
【００４７】
＜第２の実施の形態＞
本実施の形態は第１の実施の形態との比較でいえば、変換テーブル１０４の対応関係が異なり、従って、変換テーブル１０６，１１０の対応関係が異なる。
【００４８】
すなわち、第１の実施の形態では、変換テーブル１０４として、都道府県単位の行政区域に対して緯線と経線にそれぞれ平行な２群の平行線のつくる矩形領域の領域番号と、各矩形領域の左上隅の緯度・経度とを対応させたテーブルを用いた。また、変換テーブル１０６として、領域番号と都道府県コードとを対応させたものを用い、変換テーブル１１０として、領域番号と郵便番号とを対応させたものを用いた。
【００４９】
これに対して、本実施の形態では、変換テーブル１０４として、例えば、道路の場合に、各道路を所定の距離または道のり単位で区分し得られた区分部分に付した区分道路コードと、各区分道路の一方の端の緯度・経度とを対応させたテーブルを用いた。そして、変換テーブル１０６として、区分道路コードと都道府県コードを対応させたものを用い、変換テーブル１１０として、区分道路コードと郵便番号を対応させたものを用いた。
【００５０】
したがって、本実施の形態によれば、受信者が車で走行している道路に関係する道路交通情報を、当該受信者は複数の道路が立体交差している地点においても受信することができることになる。
【００５１】
なお、変換テーブル１０４として、道路の各矩形領域内部分を区分道路とし得られた各区分道路に付した区分道路コードと、各区分道路の一方の端の緯度・経度とを対応させたテーブルを用いてもよい。
【００５２】
【発明の効果】
以上説明したように、本発明によれば、上記のように構成したので、特定対象者に予め関係付けをした情報を選択的に自動受信することができる。
【図面の簡単な説明】
【図１】本発明の一実施の形態を示すブロック図である。
【図２】図１の対象地域情報取得部３の構成を示すブロック図である。
【図３】受信点の緯度・経度から領域番号を決定する方法を説明するための説明図である。
【符号の説明】
１  復調受信処理部
２  データパケット分離部
３  対象地域情報取得部
４，９  データ選択部
５  データ蓄積制御部
６  メモリ
７  映像音声復号部
８  データ復号部
１０  合成提示部
１００  データ分離部
１０１  ＧＰＳ
１０２  受信位置補正部
１０３  変換テーブル生成部
１０４，１０６，１１０  変換テーブル
１０５  領域番号決定部
１０７  都道府県コード決定部
１０８  都道府県コード入力部
１０９，１１５  選択部
１１１  受信履歴管理部
１１２  メモリ
１１３  記憶装置制御部
１１４  外部記憶装置
１１６  変換部
１１７  郵便番号決定部
【図１】
0003946942.tif 000005
【図２】
0003946942.tif 000006
【図３】
0003946942.tif 000007